【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
一対のプラグ刃(12)を有するＡＣプラグ(11)を傾動できるように連結している機器本体(10)と、この機器本体(10)のＡＣプラグ(11)に脱着できるように連結される変換プラグ(20)とを備え、
変換プラグ(20)を外してＡＣプラグ(11)を電源コンセントに連結し、ＡＣプラグ(11)に変換プラグ(20)を連結して、ＡＣプラグ(11)の電源コンセントと異なる形状の電源コンセントに連結するようにしてなる電気機器であって、
ＡＣプラグ(11)は、絶縁回転台(13)に一対のプラグ刃(12)を固定したもので、絶縁回転台(13)を機器本体(10)に傾動できるように連結しており、かつ、ＡＣプラグ(11)は、プラグ刃(12)の両面に平行な面内で傾動するように、絶縁回転台(13)を機器本体(10)に連結しており、
機器本体(10)は、折り畳み状態のＡＣプラグ(11)のプラグ刃(12)を収納する案内スペース(14)を開口して設けており、この案内スペース(14)は、一対のプラグ刃(12)を別々に収納する第１スペース(14A)と第２スペース(14B)を有し、
さらにＡＣプラグ(11)の絶縁回転台(13)には、プラグ刃(12)を垂直な姿勢に起こした状態で、機器本体(10)の表面側に開口する係止凹部(15)を設けており、
変換プラグ(20)は、ＡＣプラグ(11)のプラグ刃(12)を挿入するプラグ挿入部(23)を有すると共に、ＡＣプラグ(11)の絶縁回転台(13)に設けた係止凹部(15)に係止される係止フックを有し、この係止フックを係止凹部(15)に係止し、プラグ挿入部(23)にプラグ刃(12)を挿入して、変換プラグ(20)をＡＣプラグ(11)を介して機器本体(10)に連結するようにしてなる電気機器。
【請求項２】
ＡＣプラグ(11)の絶縁回転台(13)が、一対のプラグ刃(12)の間に係止凹部(15)を設けている請求項１に記載される電気機器。  
【請求項３】
変換プラグ(20)と機器本体(10)を、ロック機構(30)を介して脱着できるように連結している請求項１に記載される電気機器。
【請求項４】
ロック機構(30)が、機器本体(10)に設けたロックフック(31)と、変換プラグ(20)に設けられてなるロックフック(31)を連結するロック係止部(32)と、ロックフック(31)がロック係止部(32)に連結された状態に停止するストッパ(33)とを備える請求項３に記載される電気機器。
【請求項５】
ロックフック(31)を第１スペース(14A)と第２スペース(14B)の間に配設している請求項４に記載される電気機器。
【請求項６】
垂直な姿勢に起こした状態の一対のプラグ刃(12)を有するＡＣプラグ(11)を備える機器本体(10)と、ＡＣプラグ(11)に脱着できるように連結される変換プラグ(20)とを備え、
変換プラグ(20)と機器本体(10)を、ロック機構(30)を介して脱着できるように連結し、  ロック機構(30)が、機器本体(10)に設けたロックフック(31)と、変換プラグ(20)に設けられてなるロックフック(31)を連結するロック係止部(32)と、ロックフック(31)がロック係止部(32)に連結された状態に停止するストッパ(33)とを備える電気機器。
【請求項７】
機器本体(10)は、機器本体(10)の表面側に開口する係止凹部(15)を設けており、
変換プラグ(20)は、ＡＣプラグ(11)のプラグ刃(12)を挿入するプラグ挿入部(23)を有すると共に、係止凹部(15)に係止される係止フックを有し、この係止フックを係止凹部(15)に係止し、プラグ挿入部(23)にプラグ刃(12)を挿入して、変換プラグ(20)をＡＣプラグ(11)を介して機器本体(10)に連結するようにしてなる請求項６の電気機器。
【請求項８】
一対のプラグ刃(12)を有するＡＣプラグ(11)を傾動できるように連結している機器本体(10)と、この機器本体(10)のＡＣプラグ(11)に脱着できるように連結される変換体とを備え、
変換体を外してＡＣプラグ(11)を電源コンセントに連結し、ＡＣプラグ(11)に変換体を連結して、ＡＣプラグ(11)の電源コンセントと異なる形状の電源コンセントに連結するようにしてなる電気機器であって、
ＡＣプラグ(11)は、絶縁回転台(13)に一対のプラグ刃(12)を固定したもので、絶縁回転台(13)を機器本体(10)に傾動できるように連結しており、かつ、ＡＣプラグ(11)は、プラグ刃(12)の両面に平行な面内で傾動するように、絶縁回転台(13)を機器本体(10)に連結しており、
機器本体(10)は、折り畳み状態のＡＣプラグ(11)のプラグ刃(12)を収納する案内スペース(14)を開口して設けており、この案内スペース(14)は、一対のプラグ刃(12)を別々に収納する第１スペース(14A)と第２スペース(14B)を有し、
さらにＡＣプラグ(11)の絶縁回転台(13)には、プラグ刃(12)を垂直な姿勢に起こした状態で、機器本体(10)の表面側に開口する係止凹部(15)を設けており、
変換体は、ＡＣプラグ(11)のプラグ刃(12)を挿入するプラグ挿入部(23)を有すると共に、ＡＣプラグ(11)の絶縁回転台(13)に設けた係止凹部(15)に係止される係止フックを有し、この係止フックを係止凹部(15)に係止し、プラグ挿入部(23)にプラグ刃(12)を挿入して、変換体をＡＣプラグ(11)を介して機器本体(10)に連結するようにしてなる電気機器。
【請求項９】
垂直な姿勢に起こした状態の一対のプラグ刃(12)を有するＡＣプラグ(11)を備える機器本体(10)と、ＡＣプラグ(11)に脱着できるように連結される変換体とを備え、
変換体と機器本体(10)を、ロック機構(30)を介して脱着できるように連結し、  ロック機構(30)が、機器本体(10)に設けたロックフック(31)と、変換体に設けられてなるロックフック(31)を連結するロック係止部(32)と、ロックフック(31)がロック係止部(32)に連結された状態に停止するストッパ(33)とを備える電気機器。
【請求項１０】
機器本体(10)は、機器本体(10)の表面側に開口する係止凹部(15)を設けており、
変換体は、ＡＣプラグ(11)のプラグ刃(12)を挿入するプラグ挿入部(23)を有すると共に、係止凹部(15)に係止される係止フックを有し、この係止フックを係止凹部(15)に係止し、プラグ挿入部(23)にプラグ刃(12)を挿入して、変換体をＡＣプラグ(11)を介して機器本体(10)に連結するようにしてなる請求項９の電気機器。
【手続補正２】
【補正対象書類名】明細書
【補正対象項目名】０００９
【補正方法】変更
【補正の内容】
【０００９】
本発明の電気機器は、変換プラグ２０と機器本体１０を、ロック機構３０を介して脱着できるように連結することができる。ロック機構３０は、機器本体１０に設けたロックフック３１と、変換プラグ２０に設けられてなるロックフック３１を連結するロック係止部３２と、ロックフック３１がロック係止部３２に連結された状態に停止するストッパとを備え、ロックフック３１を第１スペースと第２スペースの間に配設することができる。
また、本発明の電気機器は、垂直な姿勢に起こした状態の一対のプラグ刃１２を有するＡＣプラグ１１を備える機器本体１０と、ＡＣプラグ１１に脱着できるように連結される変換プラグ２０とを備え、変換プラグ２０と機器本体１０を、ロック機構３０を介して脱着できるように連結し、  ロック機構３０が、機器本体１０に設けたロックフック３１と、変換プラグ２０に設けられてなるロックフック３１を連結するロック係止部３２と、ロックフック３１がロック係止部３２に連結された状態に停止するストッパ３３とを備える。そして、機器本体１０は、機器本体１０の表面側に開口する係止凹部１５を設けており、変換プラグ２０は、ＡＣプラグ１１のプラグ刃(12)を挿入するプラグ挿入部２３を有すると共に、係止凹部１５に係止される係止フックを有し、この係止フックを係止凹部１５に係止し、プラグ挿入部２３にプラグ刃１２を挿入して、変換プラグ２０をＡＣプラグ１１を介して機器本体１０に連結するようにしてなる。
更に、本発明の電気機器は、一対のプラグ刃１２を有するＡＣプラグ１１を傾動できるように連結している機器本体１０と、この機器本体１０のＡＣプラグ１１に脱着できるように連結される変換体とを備え、変換体を外してＡＣプラグ１１を電源コンセントに連結し、ＡＣプラグ１１に変換体を連結して、ＡＣプラグ１１の電源コンセントと異なる形状の電源コンセントに連結するようにしてなる電気機器であって、ＡＣプラグ１１は、絶縁回転台１３に一対のプラグ刃１２を固定したもので、絶縁回転台１３を機器本体１０に傾動できるように連結しており、かつ、ＡＣプラグ１１は、プラグ刃１２の両面に平行な面内で傾動するように、絶縁回転台１３を機器本体(10)に連結しており、機器本体１０は、折り畳み状態のＡＣプラグ１１のプラグ刃１２を収納する案内スペース１４を開口して設けており、この案内スペース１４は、一対のプラグ刃１２を別々に収納する第１スペース１４Ａと第２スペース１４Ｂを有し、さらにＡＣプラグ１１の絶縁回転台１３には、プラグ刃１２を垂直な姿勢に起こした状態で、機器本体１０の表面側に開口する係止凹部１５を設けており、変換体は、ＡＣプラグ１１のプラグ刃１２を挿入するプラグ挿入部２３を有すると共に、ＡＣプラグ１１の絶縁回転台１３に設けた係止凹部１５に係止される係止フックを有し、この係止フックを係止凹部１５に係止し、プラグ挿入部２３にプラグ刃１２を挿入して、変換体をＡＣプラグ１１を介して機器本体１０に連結する。
また、本発明の電気機器は、垂直な姿勢に起こした状態の一対のプラグ刃１２を有するＡＣプラグ１１を備える機器本体１０と、ＡＣプラグ１１に脱着できるように連結される変換体とを備え、変換体と機器本体１０を、ロック機構３０を介して脱着できるように連結し、ロック機構３０が、機器本体１０に設けたロックフック３１と、変換体に設けられてなるロックフック３１を連結するロック係止部３２と、ロックフック３１がロック係止部３２に連結された状態に停止するストッパ３３とを備える。そして、機器本体１０は、機器本体１０の表面側に開口する係止凹部１５を設けており、変換体は、ＡＣプラグ１１のプラグ刃１２を挿入するプラグ挿入部２３を有すると共に、係止凹部１５に係止される係止フックを有し、この係止フックを係止凹部１５に係止し、プラグ挿入部２３にプラグ刃１２を挿入して、変換体をＡＣプラグ１１を介して機器本体１０に連結するようにしてなる。